(57)【要約】【課題】  連結作業における渡り線の接続作業が短時間に行える照明器具を提供する。【解決手段】  照明器具１は、箱状に形成され、互いに連結される複数個の器具本体２と、器具本体２に配設された光源３と、外部電源に接続されて外部電源を光源３側に供給する電源線４と、出力端子２３の端子数が入力端子２２に接続される電線の電線数の２倍以上を有し、器具本体２の長手方向の一端部２ｇに設けられた送り機能を有する端子台５と、一端側６ａが端子台５の出力端子２３に接続され、他端側６ｂが電線を接続していない入力端子２２に電気接続された出力端子２３に接続されて器具本体２内に収容され、器具本体２に他の器具本体２Ｎを連結したときに他端側６ｂを当該他の器具本体２Ｎの入力端子２２に接続可能な全長を有してなる接続線６を具備している。【選択図】図４
2013069473.tif 000002
【特許請求の範囲】
【請求項１】
箱状に形成され、互いに連結される複数個の器具本体と；
この器具本体に配設された光源と；
前記器具本体内に配線されるとともに、外部電源に接続されて当該外部電源を前記光源側に供給する電源線と；
この電源線を含む電線が接続される入力端子およびこの入力端子にそれぞれ電気接続された出力端子を備え、出力端子の端子数が前記入力端子に接続される前記電線の電線数の２倍以上を有してなり、前記器具本体の長手方向の少なくとも一端部に設けられた送り機能を有する端子台と；
一端側が前記端子台の出力端子に接続され、他端側が当該出力端子以外であって当該出力端子に電気接続されている入力端子と同電位の出力端子または前記電線が接続されていない入力端子に電気接続された出力端子のいずれかに接続されて前記器具本体内に収容され、前記器具本体に他の器具本体を連結したときに他端側を当該他の器具本体の入力端子に接続可能に一端側から他端側に亘る全長を有してなる接続線と；
を具備していることを特徴とする照明器具。
【請求項２】
前記器具本体は、長形の平面部を有して形成され、当該平面部の長手方向の少なくとも一端部に前記端子台を設けているとともに前記端子台よりもさらに端部側に他の器具本体を長手方向で連結可能な連結部材を設けていることを特徴とする請求項１記載の照明器具。
【請求項３】
前記器具本体は、その長手方向の少なくとも一端部側が着脱可能なカバー部を有していることを特徴とする請求項１または２記載の照明器具。
【発明の詳細な説明】
【技術分野】
【０００１】
本発明の一実施形態は、ライン状に連結可能な照明器具に関する。
【背景技術】
【０００２】
舞台やスタジオ等においては、照明器具をライン状に連設して、ライン照明が行われている。照明器具は、例えば天井側に設けられたバトン（棒）に所定の間隔で配設され、照明器具同士は、例えば両端面側に設けられた電源ケーブルにより電気接続されている（例えば特許文献１参照。）。また、照明器具は、その長手方向で切れ間なくライン照明するために、その端部同士が連結具により接続固定されている（例えば特許文献２参照。）。
【０００３】
従来、照明器具同士は、渡り線により電気接続されている。すなわち、照明器具の端部に配設した端子台同士を電源線により接続している。また、コネクタ同士をケーブルにより電気接続することが行われている。
【先行技術文献】
【特許文献】
【０００４】
【特許文献１】特開２００６−２２８５２９号公報（第６−７頁、第３図）
【特許文献２】特許第４３１５０４２号公報（第６頁、第３図）
【発明の概要】
【発明が解決しようとする課題】
【０００５】
照明器具の連結において、端子台同士を電源線により接続する場合、電源線の端末加工に手間を要し、電気接続に多大な作業時間を要するという問題がある。また、コネクタによる接続は、専用のコネクタ付きケーブルにより、照明器具をコストアップさせるという欠点を有する。
【０００６】
また、照明器具の連結作業に対して、コネクタ付きケーブルおよび連結具を準備するそれらの管理は、煩わしいという欠点を有する。
【０００７】
本発明の実施形態は、連結作業における渡り線の接続作業が短時間に行える照明器具を提供することを目的とする。
【課題を解決するための手段】
【０００８】
本実施形態の照明器具は、器具本体、光源、電源線、送り機能を有する端子台および接続線を有して構成される。
【０００９】
器具本体は、互いに連結される複数個からなり、それぞれ箱状に形成されて、光源を配設する。
【００１０】
電源線は、外部電源に接続されて外部電源を光源側に供給するものであり、器具本体内に配線される。
【００１１】
送り機能を有する端子台は、器具本体の長手方向の少なくとも一端部に設けられ、電源線を含む電線が接続される入力端子およびこの入力端子にそれぞれ電気接続された出力端子を備える。そして、出力端子の端子数は、入力端子に接続される電線の電線数の２倍以上を有している。
【００１２】
接続線は、一端側が端子台の出力端子に接続され、他端側が当該出力端子以外であって当該出力端子に電気接続されている入力端子と同電位の出力端子または電線が接続されていない入力端子に電気接続された出力端子のいずれかに接続されて、器具本体内に収容される。そして、接続線は、器具本体に他の器具本体を連結したときに、他端側を当該他の器具本体の入力端子に接続可能に一端側から他端側に亘る全長を有している。
【発明の効果】
【００１３】
本実施形態の照明器具によれば、器具本体に他の器具本体を連結したときに、接続線の他端側を端子台の出力端子から取り外して他の器具本体の入力端子に接続することにより、連結した器具本体同士の電線の電気接続が行えるので、連結作業における渡り線の接続作業を短時間に行えることが期待できる。
【図面の簡単な説明】
【００１４】
【図１】本発明の一実施形態を示す照明器具の概略正面図である。
【図２】同じく、照明器具の概略側面図である。
【図３】同じく、光源および点灯装置の概略斜視図である。
【図４】同じく、器具本体の一端部における概略上面図である。
【図５】同じく、電源端子台における配線図である。
【図６】同じく、調光端子台における配線図である。
【図７】同じく、器具本体が連結された状態の一端部における概略上面図である。
【発明を実施するための形態】
【００１５】
以下、本発明の一実施の形態について、図面を参照して説明する。
本実施形態の照明器具1は、図１ないし図７に示すように構成される。図２および図４において、照明器具１は、器具本体２、光源としての光源ユニット３、電源線４、送り機能を有する端子台としての電源端子台５および接続線として渡り電源線６を有して形成されている。
【００１６】
器具本体２は、例えば鋼板により形成され、図１に示すように、長形の箱形に形成されている。そして、その高さ方向（長手方向と直交する方向）の下側に下カバー７を、同じく上側に上カバー８をそれぞれねじ止めして取り付けている。また、器具本体２は、図２に示すように、左右の側面２ａ，２ｂのそれぞれの高さ寸法が異なるように形成され、下面開口２ｃ側が所定の傾斜角度で正面側（側面側２ａ）を向くように形成されている。器具本体２は、その下面開口２ｃ側に光源ユニット３を前記所定の傾斜角度で取り付けている。そして、器具本体２の上面側は、長手方向に亘る長形の平面部２ｄに形成されている。
【００１７】
器具本体２の両側面２ａ，２ｂおよび長手方向の両側に設けられた両端板２ｅ，２ｆ（図２において、一方のみを示す。）は、メッシュ構造に形成されている。そして、両側面２ａ，２ｂには、略コ字形の支持アーム９が複数個のボルト１０により取り付けられている。支持アーム９は、図１に示すように、器具本体２の長手方向の両端部２ｇ，２ｈ側にそれぞれ取り付けられている。支持アーム９，９は、器具本体２を図示しないはバトン（棒）やフレーム等を介して天井に吊り下げる。
【００１８】
下カバー７には、光源ユニット３に正対するように、円形状の照射開口１１が形成されている。照射開口１１は、器具本体２の一端部２ｇから他端部２ｈに亘って等間隔に複数個形成されている。すなわち、器具本体２内には、複数個の光源ユニット３が配設されている。
【００１９】
そして、上カバー８には、その上面に配線箱１２を設けている。この配線箱１２には、外部電源からの図示しない電源線および調光装置又はコントルクスからの図示しない調光線が引き込まれている。当該電源線および調光線は、器具本体２内に配線されている。そして、上カバー８は、器具本体２の一端部２ｇ側および他端部２ｈ側がそれぞれ残余の部位から分離可能なカバー部８ａ，８ｂに形成されている。すなわち、カバー部８ａは、器具本体２の一端部２ｇ側において、器具本体２に着脱可能であり、カバー部８ｂは、器具本体２の他端部２ｈ側において、器具本体２に着脱可能となっている。
【００２０】
光源ユニット３は、図３に示すように、放熱フィン１３および環状のフランジ部１４を有するユニット体１５と、このユニット体１５に配設された発光ダイオード１６とを有する既知の構造に形成されている。そして、発光ダイオード１６は、光源ユニット３において、例えば電球色の色光を放射するものが用いられている。そして、下カバー７の照射開口１１に赤色（Ｒ）、緑色（Ｇ）および青色（Ｂ）の色光を透過するカラーフィルタ１１ａが設けられている。すなわち、下カバー７の照射開口１１には、器具本体３の一端部３ｇから他端部３ｈに向かって、赤色光、緑色光および青色光を透過するカラーフィルタ１１ａが順次配設されている。
【００２１】
なお、発光ダイオード１６は、赤色（Ｒ）、緑色（Ｇ）および青色（Ｂ）の色光を放射するものが用いられ、下カバー７の照射開口１１には、透明フィルタを設けるようにしてもよい。すなわち、器具本体３は、一端部３ｇから他端部３ｈに向かって、赤色光、緑色光および青色光を放射する各光源ユニット３を順次配設するようにしてもよい。
【００２２】
発光ダイオード１６は、点灯装置１７によって点灯される。点灯装置１７は、光源ユニット３に対応して９個が器具本体３の平面部２ｄに設けられている。点灯装置１７には、器具本体２内に配線された図示しない電源線４（図４に示す。）および図示しない調光線１８（図４に示す。）が入力側に接続されている。そして、図示しない出力コード１７ａ（図４に示す。）が光源ユニット３に接続されている。
【００２３】
電源線４は、上カバー８に配設された配線箱１２において外部電源に接続されているとともに各点灯装置１７に渡り配線されていて、外部電源を各点灯装置１７に供給する。また、調光線１８は、同じ色光を下カバー７の照射開口１１から出射する光源ユニット３に対応する点灯装置１７毎に渡り配線され、調光装置又はコントルクスからの調光信号を点灯装置１７に入力する。点灯装置１７は、調光信号に応じて、発光ダイオード１６に供給する電流を調整して、発光ダイオード１６を調光点灯させる既知の構成により形成されている。
電源線４は、上述したように、外部電源に接続されて点灯装置１７に渡り配線されて、器具本体２内に配線されている。そして、点灯装置１７に渡り配線された電源線４および調光線１８は、図４に示すように、器具本体２の平面部２ｄの長手方向の一端部２ｄａ（器具本体２の長手方向の一端部２ｇ）に設けられた電源端子台５および送り機能を有する端子台としての調光端子台１９にそれぞれ電気接続されている。
【００２４】
電源端子台５および調光端子台１９は、器具本体２の平面部２ｄの長手方向の一端部２ｄａにそれぞれ設けられている。そして、この電源端子台５および調光端子台１９とそれぞれ同等の電源端子台２０および調光端子台２１が平面部２ｄの長手方向の他端部２ｄｂ（器具本体２の長手方向の他端部２ｈ）にそれぞれ設けられている。電源端子台２０においても、電源端子台５に電気接続された電源線４が電源端子台５と同様にして接続され、調光端子台２１においても、調光端子台１９に電気接続された調光線１８が調光端子台１９と同様にして接続されている。
【００２５】
図４においては、他の器具本体２Ｎの平面部２ｄの他端部２ｄｂに設けられた電源端子台２０および調光端子台２１を示している。器具本体２，２Ｎ同士は、器具本体２の一端部２ｇ側および他の器具本体２Ｎの他端部２ｈ側において互いに連結される。そして、器具本体２の一端部２ｇ側に設けられた電源端子台５および調光端子台１９と、他の器具本体２Ｎの他端部２ｈ側に設けられた電源端子台２０および調光端子台２１は、それぞれ互いに略正対するように配設されている。
【００２６】
なお、器具本体２に設けられている配線箱１２は、器具本体２に順次連結される他の器具本体２Ｎには設けなくてもよいものである。他の器具本体２Ｎにおいては、電源端子台５，２０間において、電源線４が点灯装置１７，１７間に渡り配線される。また、調光端子台１９，２１間において、調光線１８が点灯装置１７，１７間に渡り配線される。
【００２７】
そして、電源端子台５は、図５に示すように、６個の入力端子２２およびこの入力端子２２にそれぞれ接続された６個の出力端子２３を備えている。入力端子２２および出力端子２３は、それぞれＳＬ端子（ネジ無し端子）であり、先端側の被覆を剥ぎ取った電源線４を含む電線（以下、電源線４等という。）および接続線としての渡り電源線６がそれぞれ差し込まれることにより、電源線４等および渡り電源線６をそれぞれ電気接続する。
【００２８】
入力端子２２および出力端子２３にそれぞれ接続された電源線４等および渡り電源線６は、それぞれ図示しない鎖錠機構により固定される。そして、その鎖錠機構は、鎖錠釦２４，２５を押圧することによって解除され、この解除によって電源線４等および渡り電源線６を入力端子２２および出力端子２３からそれぞれ取り外すことができる。
【００２９】
入力端子２２は、入力端子２２ａ１，２２ａ２、入力端子２２ｂ１，２２ｂ２および入力端子２２ｃ１，２２ｃ２をそれぞれ１組として、それぞれ鎖錠釦２４ａ，２４ｂ，２４ｃにより電源線４等の固定が解除される。また、出力端子２３は、出力端子２３ａ１，２３ａ２、出力端子２３ｂ１，２３ｂ２および出力端子２３ｃ１，２３ｃ２をそれぞれ１組として、それぞれ鎖錠釦２５ａ，２５ｂ，２５ｃにより渡り電源線６の固定が解除される。
【００３０】
そして、入力端子２２ａ１に電源線４の一方が接続され、入力端子２２ｃ１に電源線４の他方が接続されている。そして、入力端子２２ｂ１に電源線４と一体に配線されるアース線２６が接続されている。
【００３１】
また、３本の渡り電源線６は、それらの一端側６ａおよび他端側６ｂが出力端子２３ａ１，２３ａ２、出力端子２３ｂ１，２３ｂ２および出力端子２３ｃ１，２３ｃ２にそれぞれ接続されている。渡り電源線６のうち、出力端子２３ｂ１，２３ｂ２に接続されている渡り電源線６は、アース線となっている。
【００３２】
そして、渡り電源線６は、図７に示すように、器具本体２に他の器具本体２Ｎを連結したときに、他端側６ｂが他の器具本体２Ｎの電源端子台２０の出力端子２７に接続可能に、その一端側６ａから他端側６ｂに亘る全長が設定されている。渡り電源線６は、電源端子台２０の出力端子２７を介して電源端子台２０の入力端子２８に接続され、他の器具本体２Ｎ内に配線されている電源線４に電気接続される。
【００３３】
図５において、３本の渡り電源線６の他端側６ｂは、それぞれ出力端子２３ａ２，２３ｂ２，２３ｃ２に接続されている。この出力端子２３ａ２，２３ｂ２，２３ｃ２にそれぞれ電気接続している入力端子２２ａ２，２２ｂ２，２２ｃ２には、電源線４およびアース線２６が接続されていない。したがって、渡り電源線６が電源端子台５の出力端子２３に電気接続されている状態で電源線４が給電されても、電源端子台５において、短絡や地絡などの電気事故等の不具合が実用上発生しないものである。
【００３４】
なお、本実施形態において、電源端子台５は、入力端子２２ａ１，２２ａ２、入力端子２２ｂ１，２２ｂ２および入力端子２２ｃ１，２２ｃ２がそれぞれ１組毎に同電位に形成されていてもよく、または同電位となるように接続されていてもよい。この場合であっても、渡り電源線６は、入力端子２２ａ１，２２ａ２、入力端子２２ｂ１，２２ｂ２および入力端子２２ｃ１，２２ｃ２とそれぞれ同電位となるので、電源端子台５における不具合は、実用上発生しないものである。
【００３５】
上述したように、電源端子台５には、入力端子２２および出力端子２３がそれぞれ６個設けられ、各渡り電源線６の両端側６ａ，６ｂが出力端子２３に接続されている。入力端子２２に接続される３本の電源線４等に対して、出力端子２３の端子数が６個であるので、各渡り電源線６の両端側６ａ，６ｂを電源線４等に短絡や地絡などさせることなく、出力端子２３に接続させることができる。このように、電源端子台５は、出力端子２３の端子数が入力端子２２に接続される電源線４等の電線数の２倍以上を有していればよく、これにより、電源端子台５において不具合を発生させることなく、各渡り電源線６の両端側６ａ，６ｂを出力端子２３に接続させることができる。
【００３６】
なお、電源端子台５の出力端子２３側の平面部２ｄには、渡り電源線６の接続位置を示す表示板２９が設けられている。この表示板２９は、図４および図７においては省略している。
【００３７】
そして、調光端子台１９においても、電源端子台５と同様である。図６において、調光端子台１９は、それぞれ１６個の入力端子３０および出力端子３１を備えている。入力端子３０および出力端子３１は、それぞれＳＬ端子（ねじ無し端子）であり、互いに正対する入力端子３０および出力端子３１が電気接続されている。
【００３８】
入力端子３０は、隣接する２個を１組として８組に設けられている。そして、各組の１個の入力端子３０に１本の調光線１８が接続されている。この調光線１８は、２本を１組として、下カバー７の照射開口１１から出射される赤色光、緑色光および青色光に対応する光源ユニット３をそれぞれ制御する調光信号を伝送する。そして、入力端子３０の隣接する２組毎に、１組の２本の調光線１８がそれぞれ接続されている。調光線１８は、３組の６本が入力端子３０に接続されている。
【００３９】
出力端子３１は、隣接する２個を１組として８組に設けられている。そして、各組の２個の出力端子３１に１本の接続線としての渡り調光線３２の一端側３２ａおよび他端側３２ｂが接続されている。ここで、調光線３２の一端側３２ａは、調光線１８が接続された入力端子３０に電気接続されている出力端子３１に電気接続され、他端側３２ｂは、調光線１８が接続されていない入力端子３０に電気接続されている出力端子３１に電気接続されている。
【００４０】
そして、渡り調光線３２は、８本からなり、８組の２個の入力端子３１にそれぞれ１本の渡り調光線３２が上記のようにして接続されている。なお、本実施形態では、調光線１８は、６本であるので、調光線１８が接続されていない入力端子３０に接続されている出力端子３１は、渡り調光線３２を接続しなくてもよいものである。なお、調光端子台１９の出力端子３１側の平面部２ｄには、渡り調光線３２の接続位置を示す図示しない表示板が設けられている。
【００４１】
そして、渡り調光線３２は、図７に示すように、器具本体２に他の器具本体２Ｎを連結したときに、他端側３２ｂが他の器具本体２Ｎの調光端子台２１の出力端子３３に接続可能に、その一端側３２ａから他端側３２ｂに亘る全長が設定されている。渡り調光線３２は、調光端子台２１の出力端子３３を介して調光端子台２１の入力端子３４に接続され、他の器具本体２Ｎ内に配線されている調光線１８に電気接続される。
【００４２】
このように、調光端子台１９は、図６に示すように、その入力端子３０に調光線１８を接続し、その出力端子３１に渡り調光線３２を接続している。そして、調光端子台１９は、入力端子３０の１組毎に、調光線１８の固定を解除する解除釦３５が設けられ、出力端子３１の１組毎に、渡り調光線３２の固定を解除する解除釦３６が設けられている。
【００４３】
上述したように、器具本体２の平面部２ｄの長手方向の一端部２ｄａには、送り機能を有する端子台としての電源端子台５および調光端子台１９が設けられている。また、平面部２ｄの長手方向の他端部２ｄｂには、送り機能を有する端子台としての電源端子台２０および調光端子台２１が設けられている。そして、平面部２ｄの長手方向の一端部２ｄａには、図４に示すように、器具本体２に他の器具本体２Ｎを長手方向で連結し固定する連結部材３７が設けられている。
【００４４】
連結部材３７は、例えば鋼板からなり、器具本体２の長手方向と直交する方向に長手方向を有する正面視長方形に形成されている。連結部材３７は、その肉厚が例えば１〜２ｍｍであり、長手方向の両端側には、両端側の厚さを大きくする補強板３８，３８が設けられている。また、連結部材３７は、その長手方向において、２列にそれぞれ３個の取付け孔３９が形成されている。各列の３個の取付け孔３９は、直線上に等間隔で形成されている。また、取付け孔３９の２列間は、所定の間隔となっている。
【００４５】
器具本体２の平面部２ｄにおいて、電源端子台５および調光端子台１９よりもさらに端部側（最端２ｄｃ側）には、連結部材３７の各列の取付け孔３９に対応して、図示しない挿通孔４０（図７に示す。）が形成されている。この挿通孔４０および連結部材３７の取付け孔３９を位置的に合わせて、最端２ｄｃ側の３個の取付け孔３９および挿通孔４０にねじ４１が挿通されている。そして、平面部２ｄの背面側において、ねじ４１に螺着された図示しないナットおよびねじ４１により、平面部２ｄおよび連結部材３７が共締めされている。こうして、連結部材３７は、平面部２ｄの長手方向の一端部２ｄａに取り付けられている。この連結部材３７は、器具本体２に連結される他の器具本体２Ｎの平面部２ｄの一端部２ｄａにも設けられている。平面部２ｄおよび連結部材３７を共締めしているねじ４１および図示しないナットは、連結部材３７の取付け部材となっている。
【００４６】
そして、器具本体２および他の器具本体２Ｎのそれぞれの平面部２ｄの他端部２ｄｂには、一端部２ｄａに形成された挿通孔４０と同様の図示しない挿通孔が形成されている。この挿通孔には、ねじ４２が挿通されている。このねじ４２には、平面部２ｄの背面側において、図示しないナットが螺着されている。そして、ねじ４２および図示しないナットにより、平面部２ｄが締め付けられている。これにより、平面部２ｄの他端部２ｄｂにも、連結部材３７の取付け部材が設けられている。
【００４７】
なお、互いに連結された複数個の器具本体２，２Ｎにおいて、一方の最端側の器具本体２（２Ｎ）の一端部２ｇ側には、電源端子台５、調光端子台１９および連結部材３７を設けなくてもよく、他方の最端側の器具本体２Ｎ（２）の他端部２ｈ側には、電源端子台２０および調光端子台２１を設けなくてもよいものである。
【００４８】
次に、本実施形態の作用について述べる。
【００４９】
器具本体２の長手方向の一端部２ｇ側に他の器具本体２Ｎを連結するには、器具本体２の一端部２ｇ側の端板２ｅを取り外すとともに、他の器具本体２Ｎの他端部２ｈ側の端板２ｆを取り外す。また、器具本体２の上カバー８のカバー部８ａを取り外すとともに、他の器具本体２Ｎの上カバー８のカバー部８ｂを取り外す。カバー部８ａおよびカバー部８ｂは、ねじ止めを解除することにより、それぞれ器具本体２および他の器具本体２Ｎから容易に取り外れる。これにより、図４に示すように、器具本体２の平面部２ｄの一端部２ｄａ側および他の器具本体２Ｎの平面部２ｄの他端部２ｄｂ側がそれぞれ外部空間に露出する。
【００５０】
そして、器具本体２の平面部２ｄの一端部２ｄａにおいて、ねじ４１からナットを取り外し、ねじ４１を平面部２ｄの挿通孔４０および連結部材３７の取付け孔３９から取り外す。これにより、取付部材３７は、器具本体２の平面部２ｄを移動可能となる。また、他の器具本体２Ｎの平面部２ｄの他端部２ｄｂにおいて、ねじ４２からナットを取り外し、ねじ４２を平面部２ｄの挿通孔４０から取り外す。
【００５１】
そして、器具本体２および他の器具本体２Ｎのそれぞれの平面部２ｄ，２ｄの最端２ｄｃ，２ｄｃ同士を接触させて、連結部材３７の６個の取付け孔３９を器具本体２の平面部２ｄの挿通孔４０および他の器具本体２Ｎの平面部２ｄの挿通孔４０に位置合わせする。この位置合わせをした状態で、器具本体２および他の器具本体２Ｎからそれぞれ取り外した６個のねじ４１，４２を連結部材３７の取付け孔３９から挿通孔４０に挿通する。
【００５２】
そして、器具本体２および他の器具本体２Ｎのそれぞれの平面部２ｄ，２ｄの背面側において、ねじ４１，４２にナットを螺着して、ねじ４１，４２およびナットにより、器具本体２および他の器具本体２Ｎのそれぞれの平面部２ｄ，２ｄおよび連結部材３７を完全に共締めする。これにより、図７に示すように、器具本体２の長手方向の一端側２ｇおよび他の器具本体２Ｎの他端側２ｈは、連結部材３７により連結されて固定される。すなわち、器具本体２および他の器具本体２Ｎは、それらの長手方向で連結される。
【００５３】
この連結後、器具本体２の一端部２ｇ側に設けられている電源端子台５の渡り電源線６を他の器具本体２Ｎの他端部２ｈ側に設けられている電源端子台２０に接続し、同じく調光端子台１９の渡り調光線３２を調光端子台２１に接続させる。
【００５４】
図５において、電源端子台５の解除釦２５ａ，２５ｂ，２５ｃに順次例えばプラスドライバーを押し当てて、３本の渡り電源線６の他端側６ｂを出力端子２３ａ２，２３ｂ２，２３ｃ２からそれぞれ引き抜く。そして、３本の渡り電源線６の他端側６ｂを順次他の器具本体２Ｎの電源端子台２０の出力端子２７に接続する。この接続は、渡り電源線６の他端側６ｂを電源端子台２０の出力端子２７に差し込むのみで行えるので、迅速に行える。これにより、器具本体２内および他の器具本体２Ｎ内にそれぞれ配線された電源線４，４が渡り電源線６を介して電気接続され、他の器具本体２Ｎの点灯装置１７に外部電源が供給される。
【００５５】
また、図６において、調光端子台１９の解除釦３６に順次例えばドライバーを押し当てて、６本の渡り調光線３２の他端側３２ｂを出力端子３１から引き抜く。そして、６本の渡り調光線３２の他端側３２ｂを順次他の器具本体２Ｎの調光端子台２１の出力端子３３に接続する。この接続は、渡り調光線３２の他端側３２ｂを調光端子台２１の出力端子３３に差し込むのみで行えるので、迅速に行える。これにより、器具本体２内および他の器具本体２Ｎ内にそれぞれ配線された調光線１８，１８が渡り調光線３２を介して電気接続され、他の器具本体２Ｎの点灯装置１７に調光信号が入力される。
【００５６】
こうして、図７に示すように、器具本体２の一端部２ｇ側に他の器具本体２Ｎが連結部材３７により連結され、渡り電源線６および渡り調光線３２により、他の器具本体２Ｎの点灯装置１７に外部電源および調光信号が入力可能となる。
【００５７】
そして、渡り電源線６および渡り調光線３２の接続後に、器具本体２に上カバー８のカバー部８ａが取り付けられ、他の器具本体２Ｎに上カバー８のカバー部８ｂが取り付けられる。
【００５８】
そして、器具本体２の他端部２ｈ側に、他の器具本体２Ｎの一端部２ｇ側を連結する場合も、上述と同様である。このとき、渡り電源線６および渡り調光線３２は、他の器具本体２Ｎの電源端子台５および調光端子台１９から器具本体２の電源端子台２０および調光端子台２１にそれぞれ接続される。
【００５９】
本実施形態の照明器具１によれば、器具本体２は、平面部２ｄの電源端子台５および調光端子台１９よりもさらに長手方向の端部側（最端２ｄｃ側）に、他の器具本体２Ｎを長手方向で連結可能な連結部材３７を設けているので、器具本体２に他の器具本体２Ｎを連結するときに、別途の連結部材を準備する必要がなく、省力化を図ることができるという効果を有する。
【００６０】
また、器具本体２に長手方向で他の器具本体２Ｎを連結したときに、渡り電源線６の他端側６ｂを電源端子台５の出力端子２３から取り外して他の器具本体２Ｎの電源端子台２０の出力端子２７（入力端子２８）に接続し、渡り調光線３２の他端側３２ｂを調光端子台１９の出力端子３１から取り外して他の器具本体２Ｎの調光端子台２１の出力端子３３（入力端子３４）に接続することにより、連結した器具本体２，２Ｎ同士の電源線４および調光線１８の電気接続が行えるので、連結作業における渡り電源線６および渡り調光線３２の接続作業を短時間に行うことができるという効果を有する。
【００６１】
また、器具本体２は、電源端子台５および調光端子台１９が設けられている長手方向の一端部２ｇ側に、着脱可能な上カバー８のカバー部８ａが取り付けられ、電源端子台２０および調光端子台２１が設けられている長手方向の他端部２ｈ側に、着脱可能な上カバー８のカバー部８ｂが取り付けられているので、器具本体２に他の器具本体２Ｎを連結するときに、上カバー８全体を取り外すことなく、カバー部８ａ，８ｂを取り外すのみで連結作業が行うことができて、これにより、連結作業の作業負担を軽減できるという効果を有する。
【符号の説明】
【００６２】
１…照明器具、  ２…器具本体、  ３…光源としての光源ユニット、  ４…電源線、  ５…送り機能を有する端子台としての電源端子台、  ６…接続線としての渡り電源線、  ８ａ，８ｂ…カバー部、  １９…送り機能を有する端子台としての調光端子台、  ２６…電源線のアース線、  ３２…接続線としての渡り調光線、  ３７…連結部材
【図１】
2013069473.tif 000003
【図２】
2013069473.tif 000004
【図３】
2013069473.tif 000005
【図４】
2013069473.tif 000006
【図５】
2013069473.tif 000007
【図６】
2013069473.tif 000008
【図７】
2013069473.tif 000009